(57)【要約】【課題】  本発明は、製造時や運搬時の取り扱い時に配線基板の入力端子に静電気が侵入することを防止し、配線基板に接続されている部材の破損を防止する。また、入力端子に汚れが付着することを防止し、導通不具合や入力端子の腐食を防止することを目的とする。【解決手段】  本発明のＦＰＣ３は、ポリイミドフィルム８が露出されて形成された入力端子４１を覆うように、ポリイミドフィルム８を配置している領域上に接着剤７を配置して、保護部材であるカバーフィルム５を固定している。カバーフィルム５は、平面視および断面視において、入力端子４１の端部４２よりも外側に張り出す張り出し部５１を備え、入力端子４１および端部４２を覆うように構成される。【選択図】図２
2019078946.tif 000002
【特許請求の範囲】
【請求項１】
基材上に複数の電極端子を有する配線基板と、
前記電極端子を保護する保護部材と、を備え、
前記保護部材は、前記配線基板上に固定され、前記電極端子の端部側より外部に張り出すように張り出し部が形成され、前記配線基板の前記電極端子を覆うことを特徴とする配線基板の保護構造。
【請求項２】
基材上に複数の電極端子を有する配線基板と、
前記電極端子を保護する保護部材と、
前記配線基板の電極端子および前記保護部材が配置される部材と、を備え、
前記保護部材は、前記部材上に固定されており、前記電極端子の端部側より前記配線基板に向かって延在して前記電極端子を覆うことを特徴とする配線基板の保護構造。
【請求項３】
前記保護部材は、屈曲性を備えた請求項１または２記載の配線基板の保護構造。
【請求項４】
基材上に複数の電極端子を有する配線基板と、
前記電極端子を保護する保護部材と、を備え、
前記保護部材は、前記配線基板上の前記電極端子を含む領域の両面を覆うように配置され、
前記保護部材は、前記電極端子および前記電極端子の端部が覆われた状態と、前記電極端子および前記端部が露出した状態とを切替えられるよう、前記保護部材の一部が連結されて、前記配線基板の前記電極端子上でスライド可能となることを特徴とする配線基板の保護構造。
【請求項５】
前記保護部材は絶縁性を備えたことを特徴とする請求項１から４のいずれか１項に記載の配線基板の保護構造。
【請求項６】
請求項１から５のいずれか１項に記載の配線基板の保持構造を備えた表示装置。
【発明の詳細な説明】
【技術分野】
【０００１】
本発明はフレキシブル基板（Ｆｌｅｘｉｂｌｅ  Ｐｒｉｎｔｅｄ  Ｃｉｒｃｕｉｔ  以下、ＦＰＣ）などの配線基板の保護構造および配線基板の保護構造を備えた表示装置に関する。
【背景技術】
【０００２】
電子機器の制御回路基板や制御回路基板間を接続するための配線基板として、ＦＰＣが広く用いられている。ＦＰＣは、ポリイミドフィルムに銅箔パターン（配線）が形成された配線基板である。表示装置に用いられるＦＰＣは、表示パネルの端子と接続するために用いられており、ＦＰＣと表示パネルの端子の間は、異方性導電膜（Ａｎｉｓｏｔｒｏｐｉｃ  ｃｏｎｄｕｃｔｉｖｅ  ｆｉｌｍ  以下、ＡＣＦ）で接続されている。ＡＣＦは、熱硬化性樹脂フィルムの中に導電粒子を分散させたものである。表示パネルの端子上にＡＣＦを貼り付け、その上にＦＰＣの端子を重ね合わせる。その後、ＦＰＣの上から加熱されたツールを押し当てることにより、表示パネルの端子とＦＰＣの端子との間に導電粒子が挟まれ、電気的に導通する。同時に熱硬化性樹脂が熱によって硬化し、表示パネルの端子とＦＰＣの端子とが物理的に固定され、導通状態を保持している。
【０００３】
ＦＰＣは、制御回路基板の端子と接続される端子に信号や電源を入力するための入力端子を有しており、この入力端子にコネクタを接続もしくはプローブピンを押し当てることによって信号や電源を供給する。しかし、製造工程での取扱いにより、この入力端子に意図しない静電気が侵入し、ＦＰＣに接続されている表示パネル、ドライバＩＣなどの回路部材を破損させてしまう不具合が発生する。
【０００４】
また、製造工程での取り扱いにより、この入力端子に汚れが付着し、導通の不具合や、入力端子に腐食が発生することがある。上記は、工程内の取扱だけでなく、梱包、出荷、輸送などの最中も及ぶことがあり、意図しない静電気が侵入するまたは汚れが付着すること等により、製品が不良となることがある。
【０００５】
ＦＰＣの接続構造については、例えば特許文献１または特許文献２に開示されている。
【先行技術文献】
【特許文献】
【０００６】
【特許文献１】特開２０１１−１６９９８３号公報
【特許文献２】特開２００２−１００４３９号公報
【発明の概要】
【発明が解決しようとする課題】
【０００７】
特許文献１に開示されたＦＰＣによれば、断線を防止するために回路配線の露出がないよう保護膜で覆っているが、回路配線の端部の露出防止対策は取られていない。
【０００８】
特許文献２の構造によれば、フレキシブルプリントコネクタ端部の入力端子を覆う絶縁物を着脱可能としているため、コネクタに接続する際に取り外す工程が必要となっていた。また、絶縁物を取り外した後は、入力端子の静電気の進入や汚れの付着を防止することができないといった問題があった。
【０００９】
本発明は、上記問題点を解決するため、製造時や運搬時の取り扱い時に配線基板の入力端子に静電気が侵入することを防止し、配線基板に接続されている部材の破損を防止する。また、入力端子に汚れが付着することを防止し、導通不具合や入力端子の腐食を防止することを目的とした配線構造を提供する。
【課題を解決するための手段】
【００１０】
本発明の配線基板の保護構造および当該構造を備えた表示装置は、基材上に複数の電極端子を有する配線基板と、電極端子を保護する保護部材と、を備え、保護部材は、配線基板上に固定され、電極端子の端部側より外部に張り出すように張り出し部が形成され、配線基板の電極端子を覆うことを特徴とする。
【発明の効果】
【００１１】
本発明の保護構造および当該構造を備えた表示装置によれば、ＦＰＣの電極端子である入力端子の露出を防止することができ、製造工程の途中や、製品出荷後の輸送中における静電気の侵入や入力端子の汚染を長期的にかつ煩雑な構成を採用することなく防止することができる。よって、ＦＰＣに接続されている表示パネル、ドライバＩＣなどの回路部材に電気的なダメージが加わることが防止されるため、電極端子との導通不良や腐食が防止することができる。
【図面の簡単な説明】
【００１２】
【図１】本発明の実施の形態１における表示パネルの平面図である。
【図２】図１のＡ−Ａ断面図である。
【図３】本発明の実施の形態２における表示装置の断面図である。
【図４】本発明の実施の形態３における表示装置の断面図である。
【図５】本発明の実施の形態４におけるＦＰＣの平面図である。
【図６】本発明の実施の形態４におけるＦＰＣの平面図である。
【図７】図６のＢ−Ｂ断面図である。
【発明を実施するための形態】
【００１３】
以下、図面を参照し、本発明の実施の形態について説明する。以下の説明では、同一の構成要素には同一の符号を付してある。それらの名称および機能も実施的に同一である。したがって、それらについての詳細な説明を省略する場合がある。
【００１４】
実施の形態１．
本発明の具体的な実施形態を説明する。図１は本発明の表示パネルの平面図、図２は図１の表示パネルの端部であるＡ−Ａ断面図である。図１、２に示すように、本発明の配線基板の保護構造、保護構造を備えた表示装置１０において、画像を表示する表示パネル１は、表示領域に形成される画素（図示せず）、画素に接続されたスイッチング素子である薄膜トランジスタ（図示せず）、薄膜トランジスタをＯＮ、ＯＦＦするための制御回路であるドライバＩＣ２を表示領域の周辺部である周辺領域に備えている。また、表示パネル１の最外周部にＦＰＣ３が配置されている。ＦＰＣ３には、ポリイミドフィルム８などの基材に金属材料からなる配線である電極端子４が形成されており、ドライバＩＣ２へ信号や電源を供給するための複数の電極端子４により構成される入力端子４１を備えている。なお、表示パネル１は図示しないバックライトを表示面と反対側の裏面に備え、表示領域を照射することで画像を表示させ、表示装置を構成している。
【００１５】
図２に示すように、ＦＰＣ３において、一方の面にはポリイミドフィルム８が入力端子４１の端部４２にまで配置されているが、もう一方の面には信号や電源が供給される部分にはポリイミドフィルム８を配置せず、端部４２が露出するように入力端子４１が構成されている。入力端子４１の端部４２までポリイミドフィルム８が配置されるポリイミドフィルム８の裏面上には補強板６が配置されている。本発明のＦＰＣ３は、ポリイミドフィルム８が露出されて形成された入力端子４１を覆うように、ポリイミドフィルム８を配置している領域上に接着剤７が配置され、保護部材であるカバーフィルム５を固定している。
【００１６】
図１または図２に示すように、カバーフィルム５は入力端子４１の表面に重なるように配置されている。さらにカバーフィルム５は、平面視および断面視において、入力端子４１の端部４２よりも外側に張り出す張り出し部５１を備え、入力端子４１の端部４２を覆うように構成される。カバーフィルム５はポリエチレン、塩化ビニール、ポリイミドなどの絶縁性および屈曲性を有する材料からなる。
【００１７】
製造工程において、表示パネル１の点灯表示検査をするために、入力端子４１に信号や電源を入力する際には、カバーフィルム５を捲り上げて検査用のコネクタを接続する（図示せず）。検査が終わり、入力端子４１からコネクタを取り外す際にはカバーフィルム５は取り外す必要はなく、入力端子４１を覆う構成となり、再び入力端子４１への静電気の進入および他部材の接触が防止される。カバーフィルム５は、表示装置１０を製作する工程を通して取り外す必要がなく、表示装置１０の製造工程全てで入力端子４１への静電気の進入および他部材の接触を長期的に防止することができる。なお、カバーフィルム５は、ポリイミドフィルム８の接着剤７を介して接続されているため、表示装置１０を使用するユーザーにおいては、取り外すか配置したままにするか選択することも可能である。
【００１８】
本発明では、上記のような保護構造を備えることで、製造時や運搬時の取り扱い時にＦＰＣ３の入力端子４１に静電気が侵入することを防止し、ＦＰＣ３に接続されている部材である、ドライバＩＣ２などの回路部材や表示パネル１の破損を防止することができる。また、入力端子４１および端部４２に他部材が接触することを防止することができるため、入力端子４１および端部４２に汚れが付着することを防止し、導通不具合や電極端子４の腐食を防止することができる。
【００１９】
実施の形態２．
図３に本発明の実施の形態２における表示装置１０の断面図を示す。実施の形態１では、カバーフィルム５をＦＰＣ３の入力端子４１に端部４２よりも外部に張り出す張り出し部５１を形成して、入力端子４１を覆う構成としていたが、本実施の形態２では、図３に示すように、表示装置１０構成部材の一つである、バックライト９の裏面にＦＰＣ３を配置し、表示装置１０の外側に向かって配置されたＦＰＣ３の入力端子４１を覆うようにバックライト９に接着剤７を介して、カバーフィルム５を固定する保護構造を備えている。すなわち、バックライト９に配置されたカバーフィルム５はＦＰＣ３へ向かって延在するよう配置され、入力端子４１側よりＦＰＣ３の表面を覆っている。
【００２０】
このような構造により、入力端子４１の表面に他部材が接触することを防止するとともに、入力端子４１の端部４２からも他部材が接触することを防ぐことができる。表示パネル１の点灯表示検査をするために、入力端子４１に信号や電源を入力する際には、カバーフィルム５を捲り上げ、ＦＰＣ３の入力端子４１を持ち上げ、図示しないコネクタを接続する。検査が終わり、コネクタを取り外した際には、カバーフィルム５が再び入力端子４１を覆う保護構造であるため、再び入力端子４１および端部４２への他部材の接触が防止される。
【００２１】
実施の形態３．
図４に本発明の実施の形態３における表示装置１０の断面図を示す。実施の形態３では、表示装置１０は、実施の形態２と同様、バックライト９の外側にＦＰＣ３の入力端子４１が配置されているが、図４に示すように、ＦＰＣ３は１８０°折り曲げられ、入力端子４１が表示装置１０の内側に向かって配置されている。ＦＰＣ３の上に接着剤７が配置されており、接着材７の上にカバーフィルム５が配置されている。カバーフィルム５はＦＰＣ３の入力端子４１へ向かって延在し、入力端子４１に重なるように配置されて保護構造を構成している。
【００２２】
このような構造により、１８０°折り曲げて配置されたＦＰＣ３が元の状態に戻ろうとする動きを抑えるとともに、入力端子４１が露出することを防止し、他部材と接触することを防止できる。カバーフィルム５と入力端子４１とが接触することも防止できる。
【００２３】
実施の形態４．
図５、図６は本発明の実施の形態４におけるＦＰＣ３の平面図、図７は図６のＢ−Ｂ断面図である。実施の形態１〜３における保護構造においては、ＦＰＣ３の端部の両面の表面に、カバーフィルム５を配置している。また、図７の断面図に示すように、カバーフィルム５は、両端部においてカバーフィルム連結材５２により、連結されている。ＦＰＣ３を構成するポリイミドフィルム８は、カバーフィルム連結材５２が配置されていない位置において、突起部３１が形成されている。図５、６に示すように、平面視において突起部３１は、カバーフィルム５の外形よりも外側に張り出した（突出した）形状となっている。
【００２４】
このような構成によれば、カバーフィルム５はＦＰＣ３の端部の両面の表面と平行な方向であって、図５、６に示すように、紙面上下方向に移動することが可能であり、かつ突起部３１とカバーフィルム５（カバーフィルム連結材５２）とが干渉する位置でその移動範囲が制限される。すなわち、突起部３１がカバーフィルム５のストッパーとなっている。そのため、図６に示すように、紙面下方向にカバーフィルム５をスライドさせた位置では入力端子４１が露出されるため、コネクタ等を接続させることが可能である。図５に示すように、紙面上方向にカバーフィルム５をスライドさせた位置では入力端子４１がカバーフィルム５によって覆われた状態となり、他部材との接触を防止することができる。また、ＦＰＣ３を曲げる必要がないため、ＦＰＣ３が破損することを防止できる。また、表示装置１０に組み立てる前からＦＰＣ３破損の対策が可能である。
【００２５】
なお、本発明は、上述の各例に限定されるものではなく、材料構成、配置位置などにおいて、本発明の構成を逸脱しない範囲において、各種の変形、変更が可能であることは言うまでもない。
【符号の説明】
【００２６】
１  表示パネル、２  ドライバＩＣ、３  ＦＰＣ（フレキシブル配線基板）、
３１  突起部、４  電極端子、４１  入力端子、
５  カバーフィルム、５１  張り出し部、５２  カバーフィルム連結材、
６  補強板、７  接着剤、８  ポリイミドフィルム、
９  バックライト、１０  表示装置。
【図１】
2019078946.tif 000003
【図２】
2019078946.tif 000004
【図３】
2019078946.tif 000005
【図４】
2019078946.tif 000006
【図５】
2019078946.tif 000007
【図６】
2019078946.tif 000008
【図７】
2019078946.tif 000009